(57)【要約】【課題】メディアサイト側に負担をかけずに、個々の携帯端末の利用者に効果的な広告を提供し得る広告自動配信システムを提供する。【解決手段】携帯電話３０の個体識別情報を利用して、メディアサイトのコンテンツ中に広告主の広告情報を表示させ、携帯電話３０がその広告情報をアクセスするとクライアントサイトへ誘導する広告自動配信システム４０。コンテンツ中には、携帯電話３０に広告情報を要求させる広告要求データが埋め込まれている。さらにコンテンツ中には、携帯電話３０にクライアントサイトへの誘導を要求させる誘導要求データが埋め込まれている。広告要求データと誘導要求データはコンテンツの記述言語と同じHTMLで記述されているため、容易に埋め込むことができ、また、携帯電話３０を識別するための特殊なプログラムをメディアサイトに実装する必要がない。【選択図】図１
2010097368.tif 000002
【特許請求の範囲】
【請求項１】
メディアサイトで提供されたコンテンツにアクセスした携帯端末に、当該コンテンツ中に表示される広告情報を配信し、当該広告情報にアクセスした当該携帯端末を当該広告情報の提供元のクライアントサイトに誘導する広告自動配信システムであって、
前記広告情報、前記クライアントサイトに前記携帯端末を誘導するための誘導情報、及び前記コンテンツ中における前記広告情報の表示位置を特定するための掲載位置情報が記憶された情報リストデータベースと、
前記掲載位置情報を含み、前記携帯端末に当該掲載位置情報及び前記携帯端末を識別する個体識別情報を伴って前記広告情報を要求させる広告要求データを前記コンテンツの記述言語で出力する広告要求データ出力手段と、
前記掲載位置情報を含み、前記携帯端末に当該掲載位置情報及び前記個体識別情報を伴って前記クライアントサイトへの誘導を要求させる誘導要求データを前記コンテンツの記述言語で出力する誘導要求データ出力手段と、
前記メディアサイトの前記広告要求データ及び前記誘導要求データが埋め込まれた広告付きコンテンツにアクセスした前記携帯端末から、広告情報の要求と共に前記掲載位置情報及び前記個体識別情報を受信し、当該掲載位置情報及び当該個体識別情報に基づいて前記情報リストデータベースから広告情報を選択して当該携帯端末に配信する広告配信手段と、
前記広告配信手段で前記携帯端末に配信した広告情報を、当該掲載位置情報及び当該個体識別情報に関連付けて記憶する自動配信管理データベースと、
前記広告付きコンテンツにアクセスした前記携帯端末から、前記クライアントサイトへの誘導の要求と共に前記掲載位置情報及び前記個体識別情報を受信し、当該掲載位置情報及び当該個体識別情報に基づいて前記自動配信管理データベースから広告情報を抽出し、当該広告情報に対応する誘導情報を前記情報リストデータベースから検索し、その誘導情報により特定されるクライアントサイトを前記携帯端末にアクセスさせる誘導手段とを備える
ことを特徴とする広告自動配信システム。
【請求項２】
請求項１に記載する広告自動配信システムにおいて、
前記広告配信手段は、前記携帯端末に配信した広告情報、前記掲載位置情報、前記個体識別情報、及び配信した時刻からなる広告配信履歴を作成し、当該広告配信履歴に基づいて前記携帯端末に送信する広告情報を前記情報リストデータベースから選択する
ことを特徴とする広告自動配信システム。
【請求項３】
請求項１又は請求項２に記載する広告自動配信システムにおいて、
前記誘導手段は、前記携帯端末から受信した前記掲載位置情報及び前記個体識別情報、前記携帯端末に配信した広告情報、並びに前記クライアントサイトへの誘導の要求を受けた時刻からなるアクセス履歴を作成し、
前記広告配信手段は、前記アクセス履歴に基づいて前記携帯端末に送信する広告情報を前記情報リストデータベースから選択する
ことを特徴とする広告自動配信システム。
【請求項４】
請求項１〜請求項３の何れか一項に記載する広告自動配信システムにおいて、
前記クライアントサイトを識別する広告主ＩＤと、前記クライアントサイトで提供される広告主側コンテンツを識別する行動ＩＤとを含み、前記携帯端末に当該クライアントＩＤ、当該行動ＩＤ及び前記個体識別情報を送信させる行動送信データを前記広告主側コンテンツの記述言語で出力する行動送信データ出力手段と、
前記行動送信データが埋め込まれた広告主側コンテンツにアクセスした前記携帯端末から、前記広告主ＩＤ、前記行動ＩＤ、及び前記個体識別情報を受信し、これらと受信した時刻とからなる行動履歴を作成する行動履歴作成手段とを備え、
前記広告配信手段は、前記行動履歴に基づいて前記携帯端末に送信する広告情報を前記情報リストデータベースから選択する
ことを特徴とする広告自動配信システム。
【請求項５】
請求項１〜請求項４の何れか一項に記載する広告自動配信システムにおいて、
前記広告配信手段は、前記掲載位置情報により特定される広告情報の表示位置に複数の広告情報が配信されるように構成されている
ことを特徴とする広告自動配信システム。
【発明の詳細な説明】
【技術分野】
【０００１】
本発明は広告自動配信システムに関し、特に、携帯電話に広告を配信する場合に適用して有用なものである。
【背景技術】
【０００２】
近年、ＷＷＷ（Ｗｏｒｌｄ  Ｗｉｄｅ  Ｗｅｂ）を広告媒体として用いることが活発に行われている。例えば、ＳＮＳ（Ｓｏｃｉａｌ  Ｎｅｔｗｏｒｋｉｎｇ  Ｓｅｒｖｉｃｅ）サイトやポータルサイトなどのメディアサイトでは、それらが提供する情報（コンテンツ）の他に、他の企業などの広告が表示されるようになっている。
【０００３】
一般に、クライアント（広告主）は広告配信事業者に広告の配信を依頼し、広告配信事業者はメディアサイトに広告が表示されるように設定を行う。そして、パソコンなどの利用者がメディアサイトを閲覧したときに利用者側にその広告が表示され、利用者がその広告をクリックすると、利用者は広告主が運営するクライアントサイトに誘導され、クライアントサイトで商品カタログを見たり、商品を購入したりする。
【０００４】
特に最近では、より多くの利用者に、広告主のクライアントサイトを閲覧させ、実際に商品を購入させるために、様々な広告の提示方法が検討されている。例えば、Ｃｏｏｋｉｅを用いて、利用者を特定し、その利用者による過去の商品購入履歴等に基づいて、その利用者の嗜好に合った広告を表示する技術がある（例えば、特許文献１参照）。
【０００５】
一方、広告はパソコンだけでなく、携帯電話にも配信されるようになっている。そこで、前述したように携帯電話の利用者を特定すべく、Ｃｏｏｋｉｅを利用することが考えられる。しかしながら、多くの携帯電話はＣｏｏｋｉｅには対応していないため、利用者を特定して効果的な広告を配信することが行えないという問題がある。
【０００６】
Ｃｏｏｋｉｅを用いない場合、携帯電話の利用者を特定するためのプログラムを予めメディアサイトに実装しておき、そのプログラムの仕様に沿ってコンテンツを作成することで、利用者を特定する技術もある。しかしながら、そのようなプログラムの導入は、メディアサイトの運営者にある程度の技術レベルが要求されること、またコストが掛かることから、実現が難しい。
【０００７】
このように、従来技術では、メディアサイト側に負担をかけずに、携帯電話の利用者を特定して効果的に広告を配信することができないという問題がある。
【特許文献１】特開２００２−２３０３９１号公報
【発明の開示】
【発明が解決しようとする課題】
【０００８】
本発明は、かかる事情に鑑み、メディアサイト側に負担をかけずに、個々の携帯端末の利用者に効果的な広告を提供し得る広告自動配信システムを提供することを目的とする。
【課題を解決するための手段】
【０００９】
上記目的を達成するための本発明の第１の態様は、メディアサイトで提供されたコンテンツにアクセスした携帯端末に、当該コンテンツ中に表示される広告情報を配信し、当該広告情報にアクセスした当該携帯端末を当該広告情報の提供元のクライアントサイトに誘導する広告自動配信システムであって、前記広告情報、前記クライアントサイトに前記携帯端末を誘導するための誘導情報、及び前記コンテンツ中における前記広告情報の表示位置を特定するための掲載位置情報が記憶された情報リストデータベースと、前記掲載位置情報を含み、前記携帯端末に当該掲載位置情報及び前記携帯端末を識別する個体識別情報を伴って前記広告情報を要求させる広告要求データを前記コンテンツの記述言語で出力する広告要求データ出力手段と、前記掲載位置情報を含み、前記携帯端末に当該掲載位置情報及び前記個体識別情報を伴って前記クライアントサイトへの誘導を要求させる誘導要求データを前記コンテンツの記述言語で出力する誘導要求データ出力手段と、前記メディアサイトの前記広告要求データ及び前記誘導要求データが埋め込まれた広告付きコンテンツにアクセスした前記携帯端末から、広告情報の要求と共に前記掲載位置情報及び前記個体識別情報を受信し、当該掲載位置情報及び当該個体識別情報に基づいて前記情報リストデータベースから広告情報を選択して当該携帯端末に配信する広告配信手段と、前記広告配信手段で前記携帯端末に配信した広告情報を、当該掲載位置情報及び当該個体識別情報に関連付けて記憶する自動配信管理データベースと、前記広告付きコンテンツにアクセスした前記携帯端末から、前記クライアントサイトへの誘導の要求と共に前記掲載位置情報及び前記個体識別情報を受信し、当該掲載位置情報及び当該個体識別情報に基づいて前記自動配信管理データベースから広告情報を抽出し、当該広告情報に対応する誘導情報を前記情報リストデータベースから検索し、その誘導情報により特定されるクライアントサイトを前記携帯端末にアクセスさせる誘導手段とを備えることを特徴とする広告自動配信システムにある。
【００１０】
かかる第１の態様では、携帯端末は或る広告情報を配信され、携帯端末がその広告情報に対応するクライアントサイトへの誘導を要求すると、そのクライアントサイトへ誘導される。これらの一連の流れは、個体識別情報と掲載位置情報とを用いているため、本発明に係る広告自動配信システムは、複数の携帯端末、複数の広告情報があっても取り違えることはなく、携帯端末に配信した広告情報に対応するクライアントサイトへ携帯端末を確実に誘導する。
【００１１】
そして、このような広告情報の配信とクライアントサイトへの誘導を行うためには、メディアサイトにおいては、コンテンツに広告要求データと誘導要求データと埋め込むだけでよい。すなわち、メディアサイトに携帯端末の個体を識別するためのプログラムを実装する必要もないし、そのようなプログラムにあわせてコンテンツを作成・変更する必要もない。また、広告要求データと誘導要求データとは、コンテンツの記述言語と同じ言語で表現されているため、埋め込みも容易である。このように、本発明に係る広告自動配信システムは、メディアサイトのコンテンツ提供者に前記したようなプログラムの導入に係る費用や、技術的な負担を掛けることがない。
【００１２】
本発明の第２の態様は、第１の態様に記載する広告自動配信システムにおいて、前記広告配信手段は、前記携帯端末に配信した広告情報、前記掲載位置情報、前記個体識別情報、及び配信した時刻からなる広告配信履歴を作成し、当該広告配信履歴に基づいて前記携帯端末に送信する広告情報を前記情報リストデータベースから選択することを特徴とする広告自動配信システムにある。
【００１３】
かかる第２の態様では、携帯端末に配信した広告情報の履歴を記録する。そして、この広告配信履歴を用いて携帯端末に配信すべき広告情報が選択されるので、利用者の嗜好に合わせて広告情報を提供することができる。
【００１４】
本発明の第３の態様は、第１又は第２の態様に記載する広告自動配信システムにおいて、前記誘導手段は、前記携帯端末から受信した前記掲載位置情報及び前記個体識別情報、前記携帯端末に配信した広告情報、並びに前記クライアントサイトへの誘導の要求を受けた時刻からなるアクセス履歴を作成し、前記広告配信手段は、前記アクセス履歴に基づいて前記携帯端末に送信する広告情報を前記情報リストデータベースから選択することを特徴とする広告自動配信システムにある。
【００１５】
かかる第３の態様では、携帯端末に配信した広告情報のうち反応があったものをアクセス履歴として記録する。そして、このアクセス履歴を用いて携帯端末に配信すべき広告情報が選択されるので、利用者の嗜好に合わせて広告情報を提供することができる。
【００１６】
本発明の第４の態様は、第１〜第３の何れか一つの態様に記載する広告自動配信システムにおいて、前記クライアントサイトを識別する広告主ＩＤと、前記クライアントサイトで提供される広告主側コンテンツを識別する行動ＩＤとを含み、前記携帯端末に当該クライアントＩＤ、当該行動ＩＤ及び前記個体識別情報を送信させる行動送信データを前記広告主側コンテンツの記述言語で出力する行動送信データ出力手段と、前記行動送信データが埋め込まれた広告主側コンテンツにアクセスした前記携帯端末から、前記広告主ＩＤ、前記行動ＩＤ、及び前記個体識別情報を受信し、これらと受信した時刻とからなる行動履歴を作成する行動履歴作成手段とを備え、前記広告配信手段は、前記行動履歴に基づいて前記携帯端末に送信する広告情報を前記情報リストデータベースから選択することを特徴とする広告自動配信システムにある。
【００１７】
かかる第４の態様では、携帯端末がクライアントサイトをアクセスしたことを行動履歴として記録する。そして、この行動履歴を用いて携帯端末に配信すべき広告情報が選択されるので、利用者の嗜好に合わせて広告情報を提供することができる。
【００１８】
本発明の第５の態様は、第１〜第４の何れか一つの態様に記載する広告自動配信システムにおいて、前記広告配信手段は、前記掲載位置情報により特定される広告情報の表示位置に複数の広告情報が配信されるように構成されていることを特徴とする広告自動配信システムにある。
【００１９】
かかる第５の態様では、コンテンツ中の広告表示位置に複数の広告情報を表示することができる。複数の広告情報を組み合わせることにより、例えば広告をランキング形式、カテゴリ形式等、様々な表現形式で広告情報を携帯端末に配信できる。
【発明の効果】
【００２０】
本発明によれば、メディアサイト側に負担をかけずに、個々の携帯端末の利用者に効果的な広告を提供し得る広告自動配信システムが提供される。
【発明を実施するための最良の形態】
【００２１】
以下、本発明を実施するための最良の形態について説明する。なお、本実施形態の説明は例示であり、本発明は以下の説明に限定されない。
【００２２】
〈実施形態１〉
本実施形態では、携帯端末の一例である携帯電話の利用者、メディアサイトを運営するコンテンツ提供者、クライアントサイトを運営する広告主、及びメディアサイトを通じて広告主の広告を利用者に配信する広告配信事業者が広告自動配信システムの利用者である。
【００２３】
本実施形態に係る広告自動配信システムでは、次の（１）〜（３）が実現される。
（１）メディアサイトのコンテンツを閲覧した利用者に広告主の広告が配信されること。
（２）利用者が広告にアクセスすると、利用者はクライアントサイトに誘導されること。
（３）広告を利用者に配信したこと、利用者が広告にアクセスしたこと、及び利用者がクライアントサイトで行動したことの記録を作成し、その記録に基づいてその利用者の嗜好に適した広告を配信すること。
【００２４】
図１は、本実施形態に係る広告提供報道資料配信システムを用いた広告配信の概念図である。図示するように、携帯電話３０は、携帯電話サービスを提供する通信事業者のネットワーク及びインターネット７０を介して、広告自動配信システム４０、メディアサイトサーバ１０、及びクライアントサイトサーバ２０との間でデータの送受信が可能になっている。
【００２５】
メディアサイトサーバ１０は、一般的なＣＰＵ、記憶装置、入出力装置を備える情報通信機器であり、各種コンテンツを携帯電話３０に提供するためのプログラムが実装されている。コンテンツは、ニュースなどの文字情報が電子化されたもの、音声データ、画像データ又はこれらの組合せであり、例えばＨＴＭＬなどのコンテンツを記述する言語により作成され、記憶装置に記録されている。メディアサイトは、このようなコンテンツの集まりであり、メディアサイトサーバ１０で実行されるＷｅｂサーバが携帯電話３０の要求に応じて記憶装置からコンテンツを読み出し、携帯電話３０に送信する。
【００２６】
なお、詳細は後述するが、コンテンツには、広告要求データ及び誘導要求データが埋め込まれている。そのコンテンツが携帯電話３０に配信されると、携帯電話３０は広告自動配信システム４０に対して、広告情報を要求し、また広告主のクライアントサイトに誘導を要求するようになっている。
【００２７】
クライアントサイトサーバ２０は、一般的なＣＰＵ、記憶装置、入出力装置を備える情報通信機器であり、各種コンテンツを携帯電話３０に提供するためのプログラムが実装されている。メディアサイトサーバ１０のコンテンツと区別するために、クライアントサイトサーバ２０のコンテンツを広告主側コンテンツと称する。クライアントサイトは、このような広告主側コンテンツの集まりであり、クライアントサイトサーバ２０で実行されるＷｅｂサーバが携帯電話３０の要求に応じて記憶装置からコンテンツを読み出し、携帯電話３０に送信する。
【００２８】
広告主側コンテンツとしては、例えば、そのクライアントサイトのトップページ、広告主が販売する商品の紹介ページ、その商品をオンラインで購入するための商品購入ページ、オンラインで商品を購入した後に表示される購入完了ページなどが挙げられる。このように携帯電話３０が各種広告主側コンテンツにアクセスすることは、商品購入に至る行動と捉えることができ、このような行動は、利用者の嗜好に合った広告を配信するために有用な情報である。そのため、広告主側コンテンツには行動送信データが埋め込まれている。詳細は後述するが、携帯電話３０が行動送信データを解釈すると、広告自動配信システム４０に対して、行動、すなわち携帯電話３０が広告主側コンテンツにアクセスしたという情報を送信するようになっている。
【００２９】
携帯電話３０は、携帯電話を一意に識別する個体識別情報が予め設定された携帯端末である。携帯電話３０は、音声通話機能、データ通信機能、ボタンやディスプレイ等の入出力装置、ブラウザ機能を備えている。ブラウザ機能は、ＵＲＬで特定されるコンテンツをメディアサイトサーバ１０等からダウンロードし、コンテンツの内容を解釈してディスプレイに表示する他に、個体識別情報を広告自動配信システム４０に送信することができるようになっている。
【００３０】
携帯電話３０は、ダウンロードしたコンテンツに広告要求データや誘導要求データが含まれていると、詳細は後述するが、広告自動配信システム４０に対して個体識別情報を送信すると共に広告情報を要求し、またクライアントサイトサーバ２０への誘導を要求するようになっている。
【００３１】
図２は、本実施形態に係る広告自動配信システムの機能ブロック図である。図示するように、広告自動配信システム４０は、広告要求データ出力手段４１、誘導要求データ出力手段４２、行動送信データ出力手段４３、広告配信手段４４、誘導手段４５、及び行動履歴作成手段４６を備えている。これらの各手段４１〜４６は、一般的なＣＰＵ、記憶装置、入出力装置、通信装置を備える情報通信機器である広告自動配信サーバ５０で実行されるプログラムとして実装されている。
【００３２】
更に、広告自動配信システム４０は、インプレッションログデータベース６０、自動配信管理データベース６１、情報リストデータベース６２、クリックログデータベース６３、及びアクションログデータベース６４を備えている。これらのデータベース６０〜６４は、前記した各手段４１〜４６が後述する種々のデータを記憶し、そのデータを検索・抽出できるように構成されている。
【００３３】
なお、各手段４１〜４６及び各データベース６０〜６４は、一台の広告自動配信サーバ５０で実行される場合に限定されず、複数の広告自動配信サーバ５０に分散させてもよい。例えば各手段４１〜４６とデータベース６０〜６４とを異なる広告自動配信サーバ５０に実装し、各手段４１〜４６がＬＡＮなどを介して各データベース６０〜６４にアクセスできるようにしてもよい。これにより、負荷を分散し、可用性を向上することができる。
【００３４】
情報リストデータベース６２は、広告情報、誘導情報、及び掲載位置情報を記憶・検索・抽出するデータベースである。ここで、広告情報とは、広告主がメディアサイトのコンテンツ中に表示させる情報である。例えば、広告主が販売しようとする商品に関する広告を表した画像データなどである。広告情報は、携帯電話３０にダウンロードされ、そのディスプレイに表示され、利用者の購買意欲を喚起するために用いられる。
【００３５】
誘導情報とは、広告情報に関連付けられており、その広告情報の広告主のクライアントサイトに携帯電話３０を誘導させる情報である。クライアントサイトに携帯電話３０を誘導するとは、携帯電話３０がクライアントサイトサーバ２０の特定のコンテンツを要求させることをいう。誘導情報の一例としては、クライアントサイトサーバ２０の特定のコンテンツへのＵＲＬである。携帯電話３０は広告自動配信システム４０からそのＵＲＬにアクセスすべき命令を受け、クライアントサイトサーバ２０の特定のコンテンツを得る。
【００３６】
掲載位置情報とは、メディアサイトサーバ１０にあるコンテンツにおける広告情報の表示位置を特定するための情報である。メディアサイトのコンテンツ提供者は、どこに広告を表示するかを定め、広告自動配信システム４０はその位置を掲載位置情報として情報リストデータベース６２に登録する。そして、詳細は後述するが、広告自動配信システム４０は、掲載位置情報に基づいて広告情報を選択する。
【００３７】
掲載位置情報は、例えば、複数あるメディアサイトのうち、どのメディアサイトであるかを特定する識別子と、コンテンツを携帯電話３０に表示したときにおける広告の位置を特定する識別子とからなる。このような掲載位置情報によれば、或るメディアサイトでは、「コンテンツのトップページ上段」、「ニュースページの右上」に広告の表示位置があるということが判別できる。
【００３８】
広告要求データ出力手段４１は、広告要求データをコンテンツの記述言語で出力する機能を実現するものである。ここで、広告要求データとは、掲載位置情報を含み、携帯電話３０に、掲載位置情報及び個体識別情報を伴って広告自動配信システム４０に広告情報を要求させるデータである。例えば、コンテンツがＨＴＭＬで記述されていれば、広告要求データは次のようになる。
【００３９】
<IMG SRC=”http://example.co.jp/getimage?media_id=1024&space_id=1” />
ＩＭＧタグは、携帯電話３０に画像データとして表された広告情報を要求させるデータである。また、ＵＲＬ中の「example.co.jp」は広告自動配信システム４０のドメイン名であり、「media_id=1024」はメディアサイトを特定する識別子（メディアサイトＩＤ）が「１０２４」であり、「space_id=1」はコンテンツ中の表示位置を特定する識別子（広告スペースＩＤ）が「１」であることを示している。携帯電話３０は、ＩＭＧタグを解釈すると、広告自動配信システム４０に広告情報を表した画像データを要求すると共に、掲載位置情報を送信し、また前述したように個体識別情報も送信する。
【００４０】
誘導要求データ出力手段４２は、誘導要求データをコンテンツの記述言語で出力する機能を実現するものである。ここで、誘導要求データとは、掲載位置情報を含み、携帯電話３０に、掲載位置情報及び個体識別情報を伴って広告自動配信システム４０にクライアントサイトへの誘導を要求させるデータである。例えば、コンテンツがＨＴＭＬで記述されていれば、誘導要求データは次のようになる。
【００４１】
<A href=”http://example.co.jp/redirect?media_id=1024&space_id=1” ></A>
Ａタグは、携帯電話３０にクライアントサイトへの誘導を要求させるデータである。また、ＵＲＬ中の「example.co.jp」は広告自動配信システム４０のドメイン名であり、「media_id=1024」はメディアサイトを特定する識別子が「１０２４」であり、「space_id=1」はコンテンツ中の表示位置（広告スペース）を特定する識別子が「１」であることを示している。携帯電話３０は、Ａタグを解釈すると、広告自動配信システム４０に表示した広告情報の広告主のクライアントサイトへの誘導を要求すると共に、掲載位置情報を送信し、また前述したように個体識別情報も送信する。
【００４２】
メディアサイトのコンテンツ提供者は、上記のような広告要求データ及び誘導要求データを得て、コンテンツに埋め込む。広告要求データ及び誘導要求データをコンテンツに埋め込むとは、コンテンツ中に広告情報を表示させたい位置に広告要求データ及び誘導要求データを挿入することをいう。
【００４３】
例えば、ＨＴＭＬで記述されたコンテンツ中に、次のような広告要求データ及び誘導要求データが埋め込まれる。
【００４４】
<A href=”http://example.co.jp/redirect?media_id=1024&space_id=1” >
<IMG SRC=”http://example.co.jp/getimage?media_id=1024&space_id=1” />
</A>
上記広告要求データ及び誘導データが埋め込まれたコンテンツを広告付きコンテンツという。詳細は後述するが、携帯電話３０がＩＭＧタグを解釈すると、そのＵＲＬに基づいて広告自動配信システム４０から広告情報の画像データを取得し、Ａタグに基づいて表示されたリンクが選択されると、広告自動配信システム４０にその広告情報の広告主のクライアントサイトへの誘導を要求する。
【００４５】
行動送信データ出力手段４３は、行動送信データを広告主側コンテンツの記述言語で出力する機能を実現するものである。ここで、行動送信データとは、広告主ＩＤと行動ＩＤとを含み、携帯電話３０に、クライアントＩＤ、行動ＩＤ及び個体識別情報を送信させるデータである。広告主ＩＤとは、クライアントサイト（広告主）を一意に識別する識別子であり、行動ＩＤとは、広告主側コンテンツを識別する識別子である。例えば、広告主側コンテンツがＨＴＭＬで記述されていれば、行動送信データは次のようになる。
【００４６】
<IMG SRC=”http://example.co.jp/send_action?client_id=2048&action_id=2” />
ＩＭＧタグは、携帯電話３０に画像データを要求させるデータである。また、ＵＲＬ中の「example.co.jp」は広告自動配信システム４０のドメイン名であり、「client_id=2048」は広告主を特定する識別子が「２０４８」であり、「action_id=1」は広告主側コンテンツを識別する識別子が「１」であることを示している。携帯電話３０は、ＩＭＧタグを解釈すると、広告自動配信システム４０に画像データを要求すると共に、広告主ＩＤ及び行動ＩＤを送信し、また前述したように個体識別情報も送信する。なお、広告自動配信システム４０は、この要求に対しダミーの画像を返すようになっているので、結果的に、携帯電話３０から広告主ＩＤ、行動ＩＤ及び個体識別情報を広告自動配信システム４０に送信することだけが行われる。
【００４７】
クライアントサイトの広告主は、上記のような行動送信データを得て、広告主側コンテンツに埋め込む。行動送信データをコンテンツに埋め込むとは、広告主側コンテンツ中に行動送信データを挿入することをいう。
【００４８】
広告配信手段４４は、広告付きコンテンツにアクセスした携帯電話３０から、広告情報の要求と共に掲載位置情報及び個体識別情報を受信し、当該掲載位置情報及び当該個体識別情報に基づいて情報リストデータベース６２から広告情報を選択して携帯電話３０に配信する機能を実現するものである。本実施形態では、広告配信手段４４は、広告自動配信サーバ５０で実行されるＷｅｂサーバを介して携帯電話３０とデータの送受信を行うプログラムである。
【００４９】
上述したように携帯電話３０が広告付きコンテンツにアクセスすると、広告要求データを解釈し、広告情報の要求と共に掲載位置情報及び個体識別情報を広告自動配信システム４０に送信する。詳言すると、これらの広告情報の要求、掲載位置情報及び個体識別情報は、Ｗｅｂサーバを介して広告配信手段４４に与えられる。そして、広告配信手段４４は、掲載位置情報及び個体識別情報に基づいて、情報リストデータベースから広告情報を選択し、この選択した広告情報をＷｅｂサーバを介して携帯電話３０に送信する。
【００５０】
なお、広告配信手段４４は、携帯電話３０に送信した広告情報を掲載位置情報及び個体識別情報に関連付けて自動配信管理データベース６１に記憶させる。すなわち、どの携帯電話に対して、どのメディアサイトのどの表示位置に広告を配信したかが記録されたことになる。自動配信管理データベース６１のデータは、後に携帯電話３０をクライアントサイトに誘導する際に用いられる。
【００５１】
また、広告配信手段４４は、携帯電話３０に配信した広告情報、配信した時刻、携帯電話３０から受信した掲載位置情報及び個体識別情報からなる広告配信履歴をインプレッションログデータベース６０に記憶させる。すなわち、いつ、どの携帯電話に対して、どのメディアサイトのどの表示位置に広告を配信したかが記録されたことになる。広告配信履歴は、利用者に対して適切な広告を選択するための情報として用いられる。
【００５２】
誘導手段４５は、広告付きコンテンツにアクセスした携帯電話３０を、その広告主のクライアントサイトへ誘導する機能を実現するものである。
【００５３】
誘導手段４５は、広告付きコンテンツにアクセスして誘導要求データを解釈した携帯電話３０から、クライアントサイトへの誘導の要求と共に掲載位置情報及び個体識別情報を受信する。前述したように、自動配信管理データベース６１には、携帯電話３０に送信した広告情報が、掲載位置情報及び個体識別情報に関連付けて記憶されているので、誘導手段４５は、携帯電話３０から受信した掲載位置情報及び個体識別情報と一致するものを自動配信管理データベース６１から検索することで、先に携帯電話３０に送信した広告情報を特定する。
【００５４】
そして、誘導手段４５は、特定した広告情報に対応する誘導情報を情報リストデータベース６２から検索し、その結果抽出した誘導情報により特定されるクライアントサイトを携帯電話３０にアクセスさせる。
【００５５】
なお、これらの誘導の要求、掲載位置情報及び個体識別情報は、Ｗｅｂサーバを介して誘導手段４５に与えられるようになっている。そして、誘導情報は、クライアントサイトの特定のコンテンツを示すＵＲＬで表現されており、誘導手段４５は、Ｗｅｂサーバを介してそのＵＲＬにリダイレクトさせる情報を携帯電話３０に送信する。
【００５６】
また、誘導手段４５は、携帯電話３０に配信した広告情報、携帯電話３０から誘導の要求を受けた時刻、携帯電話３０から受信した掲載位置情報及び個体識別情報からなるアクセス履歴をクリックログデータベース６３に記憶させる。すなわち、いつ、どの携帯電話が、どのメディアサイトの、どの表示位置に配信した広告をアクセスしたかが記録されたことになる。アクセス履歴は、利用者に対して適切な広告を選択するための情報として用いられる。
【００５７】
行動履歴作成手段４６は、行動送信データが埋め込まれた広告主側コンテンツにアクセスした携帯電話３０から、広告主ＩＤ、行動ＩＤ及び個体識別情報を受信し、これらと受信した時刻とからなる行動履歴を作成する機能を実現するものである。本実施形態では、行動履歴作成手段４６は、広告自動配信サーバ５０で実行されるＷｅｂサーバを介して携帯電話３０とデータの送受信を行うプログラムである。
【００５８】
行動履歴作成手段４６は、行動履歴を、アクションログデータベース６４に記憶させる。前述したように、行動ＩＤは、広告主側コンテンツを一意に識別する識別子であるが、広告主側コンテンツは「商品紹介ページ」、「商品購入ページ」、「商品購入完了ページ」などであるので、携帯電話３０が広告主側コンテンツにアクセスしたことが分かるということは、携帯電話３０がクライアントサイトで商品購入に至るまでにどのような行動をしたかが分かるということである。行動履歴は、利用者に対して適切な広告を選択するための情報として用いられる。
【００５９】
次に、広告自動配信システム４０での処理の説明に先立ち、広告自動配信システム４０の情報リストデータベース６２のデータ及びメディアサイトサーバ１０で提供されるコンテンツについて説明する。
【００６０】
広告自動配信システム４０の情報リストデータベースには、掲載位置情報（表１参照）、広告情報及び誘導情報（表２参照）が記録されているとする。
【００６１】
【表１】
2010097368.tif 000003
【００６２】
【表２】
2010097368.tif 000004
【００６３】
表１の各行には、掲載位置情報が例示されている。例えば、「ＳＮＳサイトＡ」というメディアサイトは、メディアＩＤ「１０２４」で一意に識別され、「トップページ」という広告スペースは広告スペースＩＤ「１」で一意に識別されるようになっている。また、表２の各行には、広告情報とそれに対応する誘導情報が例示されている。例えば、「画像データＡ」という広告情報は、広告ＩＤ「６５５３６」で一意に識別されるようになっている。そして、その広告情報に対応する誘導情報は、「クライアントサイトＡトップページ」へのＵＲＬが記録されている。
【００６４】
また、メディアサイトサーバ１０のコンテンツには次のような広告要求データと誘導要求データとが埋め込まれているとする。
【００６５】
<A href=”http://example.co.jp/redirect?media_id=1024&space_id=1” >
<IMG SRC=”http://example.co.jp/getimage?media_id=1024&space_id=1” />
</A>
【００６６】
次に、図３を用いて、広告自動配信システム４０から携帯電話３０に広告を配信する処理を説明する。図３は、本実施形態に係る広告自動配信システムの処理のフローである。
【００６７】
図３に示すように、まず携帯電話３０は、メディアサイトサーバ１０に対して、コンテンツの要求を行う（ステップＳ１０）。この要求を受けたメディアサイトサーバ１０は、携帯電話３０に対して、前述した広告要求データと誘導要求データとが埋め込まれたコンテンツの送信を行う（ステップＳ１１）。
【００６８】
携帯電話３０は、受信したコンテンツの解釈を行い（ステップＳ１２）、携帯電話３０は、広告自動配信システム４０に対して、広告情報の要求を行う（ステップＳ１３）。詳言すると、携帯電話３０はＩＭＧタグ（広告要求データ）を解釈すると、ＳＲＣ以降のＵＲＬ、すなわち広告自動配信システム４０のＷｅｂサーバにアクセスする。このアクセスの際、携帯電話３０は、広告自動配信システム４０に対して、掲載位置情報としてメディアＩＤ（media_id）「１０２４」、広告スペースＩＤ（space_id）「１」、及び個体識別情報を送信する。
【００６９】
一方、広告自動配信システム４０のＷｅｂサーバが携帯電話３０の広告情報の要求を受けると、その処理をするプログラム、すなわち広告配信手段４４に掲載位置情報（メディアＩＤ、広告スペースＩＤ）及び個体識別情報を与える。
【００７０】
広告配信手段４４は、与えられた掲載位置情報及び個体識別情報に基づいて情報リストデータベースから広告情報の選択を行う（ステップＳ１４）。そして、広告配信手段４４は、携帯電話３０に対して、その広告情報の配信を行う（ステップＳ１５）。
【００７１】
また、広告配信手段４４は、配信した広告情報の記録を行う（ステップＳ１６）。具体的には、自動配信管理データベース６１に表３に示すようなデータを記録する。
【００７２】
【表３】
2010097368.tif 000005
【００７３】
自動配信管理データベース６１には、表３に示すように、個体識別番号「SER0000001」で特定される携帯電話３０に対し、広告ＩＤ「６５５３６」で特定される広告情報を、メディアＩＤ・広告スペースＩＤで特定される掲載位置に配信したことが記録される。
【００７４】
更に、広告配信手段４４は、広告配信履歴の記録を行う（ステップＳ１７）。具体的には、インプレッションログデータベース６０に表４に示すような広告配信履歴を記録する。
【００７５】
【表４】
2010097368.tif 000006
【００７６】
表４に示すように、配信時刻「2008年8月1日12時」に、個体識別番号「SER0000001」で特定される携帯電話３０に対し、広告ＩＤ「６５５３６」で特定される広告情報を、メディアＩＤ・広告スペースＩＤで特定される掲載位置に配信したことが記録される。広告配信履歴は、携帯電話３０に配信する広告情報を選択するために用いられる。
【００７７】
一方、携帯電話３０は、広告配信手段４４から送信された広告情報を受信し、コンテンツと共に広告情報の表示を行う（ステップＳ１８）。ステップＳ１５では、広告ＩＤ「６５５３６」の広告情報が携帯電話３０に送られたため、携帯電話３０のディスプレイには、コンテンツと共に、「画像データＡ」が表示されることになる（表２参照）。
【００７８】
次に、図４を用いて、広告自動配信システム４０が携帯電話３０をクライアントサイトサーバ２０に誘導する処理を説明する。図４は、本実施形態に係る広告自動配信システムの処理のフローである。
【００７９】
まず、携帯電話３０が広告自動配信システム４０に対して、クライアントサイトへの誘導の要求を行う（ステップＳ２０）。この要求は、携帯電話３０の利用者が、ボタン等を操作して、ディスプレイに表示された広告情報のリンクをクリックしたときに行われる。詳言すると、携帯電話３０はＡタグ（誘導要求データ）を解釈すると、ｈｒｅｆ以降のＵＲＬ、すなわち広告自動配信システム４０のＷｅｂサーバにアクセスする。このアクセスの際、携帯電話３０は、広告自動配信システム４０に対して、掲載位置情報としてメディアＩＤ（media_id）「１０２４」、広告スペースＩＤ（space_id）「１」、及び個体識別情報を送信する。
【００８０】
一方、広告自動配信システム４０のＷｅｂサーバが携帯電話３０のクライアントサイトへの誘導の要求を受けると、その処理をするプログラム、すなわち誘導手段４５に掲載位置情報（メディアＩＤ、広告スペースＩＤ）及び個体識別情報を与える。
【００８１】
誘導手段４５は、与えられた掲載位置情報及び個体識別情報に基づいて自動配信管理データベース６１から広告情報の検索を行う（ステップＳ２１）。すなわち、携帯電話３０に以前送信した広告情報を検索する。具体的には、携帯電話３０から受信した掲載位置情報及び個体識別情報をキーとして、自動配信管理データベースから一致するものを検索する。
【００８２】
携帯電話３０からは、個体識別番号「SER0000001」、メディアＩＤ「１０２４」、広告スペースＩＤ「１」が送信されるので、これらをキーにして、表３に例示した自動配信管理データベース６１から検索する。この結果、広告ＩＤ「６５５３６」で特定される広告情報を得ることができる。すなわち、以前に配信した広告ＩＤ「６５５３６」の広告情報に対して、携帯電話３０からアクセスがあったことを把握できる。
【００８３】
次に、誘導手段４５は、誘導情報の検索を行う（ステップＳ２２）。具体的には、広告ＩＤ「６５５３６」で特定される広告情報に対応する誘導情報を情報リストデータベース６２から検索する。表２に例示した情報リストデータベース６２の内容においては、誘導情報は「クライアントサイトＡトップページ」へのＵＲＬである。そして誘導手段４５は、携帯電話３０に対して、その誘導情報に基づいてクライアントサイトＡのトップページへの誘導を行う（ステップＳ２３）。具体的には、携帯電話３０に対して、誘導情報のＵＲＬにアクセスさせる情報を送信する。
【００８４】
更に、誘導手段４５は、アクセス履歴の記録を行う（ステップＳ２４）。具体的には、クリックログデータベース６３に表５に示すようなアクセス履歴を記録する。
【００８５】
【表５】
2010097368.tif 000007
【００８６】
表５に示すように、アクセス時刻「2008年8月1日12時5分」に、個体識別番号「SER0000001」で特定される携帯電話３０が、メディアＩＤ・広告スペースＩＤで特定される掲載位置に表示された広告情報（広告ＩＤ「６５５３６」）にアクセスしたことが記録される。アクセス履歴は、携帯電話３０に配信する広告情報を選択するために用いられる。
【００８７】
以降、携帯電話３０は、その誘導情報に従ってクライアントサイトの要求を行い（ステップＳ２５）、クライアントサイトサーバ２０は、携帯電話３０に対してその誘導情報のＵＲＬで特定されるコンテンツの送信を行い（ステップＳ２６）、携帯電話３０は、そのコンテンツの解釈・表示を行う（ステップＳ２７）。
【００８８】
次に、図５を用いて、携帯電話３０がクライアントサイトサーバ２０の広告主側コンテンツにアクセスした行動履歴を記録する処理を説明する。図５は、本実施形態に係る広告自動配信システムの処理のフローである。
【００８９】
なお、クライアントサイトサーバ２０の広告主側コンテンツには次のような行動送信データが予め埋め込まれているとする。
【００９０】
<IMG SRC=”http://example.co.jp/send_action?client_id=2048&action_id=2” />
まず、携帯電話３０が、誘導にしたがって、クライアントサーバ２０に対して、広告主側コンテンツの要求を行う（ステップＳ３０）。クライアントサイトサーバ２０は、携帯電話３０に対して上記行動送信データが埋め込まれた広告主側コンテンツの送信を行う（ステップＳ３１）。
【００９１】
次に、携帯電話３０は、受信した広告主側コンテンツの解釈・表示を行う（ステップＳ３２）。このとき、携帯電話３０はＩＭＧタグ（行動送信データ）を解釈すると、ＳＲＣ以降のＵＲＬ、すなわち広告自動配信システム４０のＷｅｂサーバにアクセスする。このアクセスの際、携帯電話３０は、広告自動配信システム４０に対して、広告主ＩＤ（client_id）「２０４８」、行動ＩＤ（action_id）「２」、及び個体識別情報を送信する（ステップＳ３３）。
【００９２】
一方、広告自動配信システム４０のＷｅｂサーバは、携帯電話３０から広告主ＩＤ等が送信されると、その処理をするプログラム、すなわち行動履歴作成手段４６に広告主ＩＤ、行動ＩＤ及び個体識別情報を与える。
【００９３】
行動履歴作成手段４６は、行動履歴の記録を行う（ステップＳ３４）。具体的には、携帯電話３０がクライアントサイトサーバ２０のコンテンツを閲覧するたびごとに、アクションログデータベース６４に表６に示すような行動履歴を記録する。
【００９４】
【表６】
2010097368.tif 000008
【００９５】
表６に示すように、携帯電話３０から広告主ＩＤを受信した時刻（行動時刻）「2008年8月1日12時15分」に、個体識別番号「SER0000001」で特定される携帯電話３０が、広告主ＩＤ「２０４８」で特定される広告主のクライアントサイトに対し、行動ＩＤ「１」で特定されるコンテンツ（商品紹介ページ）にアクセス（行動）したことが記録される。以下、同様に、携帯電話３０がクライアントサイトの商品購入ページ、商品購入完了ページをアクセスしたこと、すなわち、商品の購入に至ったことが記録されている。このような行動履歴は、携帯電話３０に配信する広告情報を選択するために用いられる。
【００９６】
なお、前述したように、広告配信手段４４は、広告配信履歴、アクセス履歴、行動履歴に基づいて携帯電話３０に配信する広告情報を情報リストデータベース６２から選択する。この広告情報の選択に際しては、広告配信履歴、アクセス履歴、行動履歴から総合的に判断して広告情報を選択してもよいし、個々の履歴から判断して広告情報を選択してもよい。
【００９７】
例えば、広告配信履歴とアクセス履歴とに基づく場合、広告配信手段４４は、或る広告情報を配信した配信回数を広告配信履歴から抽出し、その広告情報が実際にクリックされたクリック回数をアクセス履歴から抽出し、配信回数に対するクリック回数の比率が高い広告情報を優先的に選択するようにしてもよい。
【００９８】
さらに、広告配信履歴には、或る分野に属する商品の広告が多数記録されているが、アクセス履歴には、その商品の広告情報に関する記録が全くないとする。このような場合は、利用者はその分野に興味がない、と判断できるため、広告配信手段４４は、別分野に属する商品に関する広告情報を選択するということもできる。他にも、アクセス履歴には或る分野に属する商品について多数の記録がなされていたり、或る分野に属する商品を購入完了した旨の記録が行動履歴に多数記録されている場合には、利用者はその分野に興味があると判断できる。したがって、広告配信手段４４は、その分野に属する他の商品に関する広告情報を選択することもできる。
【００９９】
他にも、広告配信履歴には、或る分野に属する商品の広告情報を配信したことが記録されていれば、広告配信手段４４は、重複を避けるため他の分野の商品についての広告情報を選択してもよい。
【０１００】
以上に説明したように、広告自動配信システム４０は、広告要求データ及び誘導要求データを作成し、メディアサイト側では、予め、広告要求データ及び誘導要求データを埋め込んでコンテンツを作成しておく。
【０１０１】
携帯電話３０が、広告付きコンテンツにアクセスすると、広告要求データに従って、個体識別情報や掲載位置情報を広告自動配信システム４０に送信する。これらの個体識別情報や掲載位置情報に基づいて、広告自動配信システム４０は、広告情報を選択して携帯電話３０に配信する。
【０１０２】
携帯電話３０が、広告情報にアクセスすると、誘導要求データにしたがって、個体識別情報や掲載位置情報を広告自動配信システム４０に送信する。広告自動配信システム４０は、これらの個体識別情報や掲載位置情報に基づいて、広告情報に対応するクライアントサイトへ携帯電話３０を誘導する。
【０１０３】
このように、本発明に係る広告自動配信システムでは、携帯電話３０は或る広告情報が配信され、携帯電話３０がその広告情報に対応するクライアントサイトへの誘導を要求すると、そのクライアントサイトへ誘導される。これらの一連の流れは、個体識別情報と掲載位置情報とを用いているため、広告自動配信システム４０は、複数の携帯電話３０、複数の広告情報があっても取り違えることはなく、携帯電話３０に配信した広告情報に対応するクライアントサイトへ携帯電話３０を確実に誘導する。
【０１０４】
そして、このような広告情報の配信とクライアントサイトへの誘導を行うためには、メディアサイトにおいては、コンテンツに広告要求データと誘導要求データと埋め込むだけでよい。すなわち、メディアサイトサーバ１０に携帯電話３０の個体を識別するためのプログラムを実装する必要もないし、そのようなプログラムにあわせてコンテンツを作成・変更する必要もない。また、広告要求データと誘導要求データとは、コンテンツの記述言語と同じ言語で表現されているため、埋め込みも容易である。このように、メディアサイトのコンテンツ提供者に前記したような特殊なプログラムの導入に係る費用や、技術的な負担を掛けることがない。
【０１０５】
また、広告自動配信システム４０は、広告配信履歴、アクセス履歴、行動履歴を記録し、携帯電話３０に広告情報を配信するために用いる。このため、広告自動配信システム４０によれば、携帯電話３０の利用者の嗜好にあわせた広告の配信が可能になり、利用者が商品を購入する可能性を高めることができ、広告自動配信システム４０は、広告主に、効果的な広告を行い得る広告サービスを提供できる。
【０１０６】
〈実施形態２〉
実施形態１では、携帯電話３０に配信される広告情報は一つの広告スペース（掲載位置情報）につき一つであったが、必ずしも一つである必要はなく、複数であってもよい。一つの広告スペースにつき複数の広告情報が配信することで、様々なバリエーションの広告を配信することができる。
【０１０７】
図６は、携帯電話に表示される広告情報のバリエーションを示す図である。図６（ａ）に示すように、携帯電話３０のディスプレイに、メディアＩＤ「１０２４」のメディアサイトのコンテンツがダウンロードされて表示されている。そのコンテンツの中の、広告スペース「１」で特定される掲載位置に「アフィリエイトなら○○○○」と記載された１つの広告情報、すなわちバナー画像８０が表示されている。この広告情報の表示形式を画像バナー型と称する。
【０１０８】
図６（ｂ）も同様に、メディアＩＤ「１０２４」のメディアサイトのコンテンツ中の、広告スペース「１」で特定される掲載位置に２つの広告情報が表示されている。一つの広告情報８１は、主として誘導ＵＲＬへの移動を促すための画像であり、もう一つの広告情報８２は、誘導先のクライアントサイトの紹介文など誘導先に関する説明が記載された画像データである。この広告情報の表示形式を文章型と称する。
【０１０９】
図６（ｃ）も同様に、メディアＩＤ「１０２４」のメディアサイトのコンテンツ中の、広告スペース「１」で特定される掲載位置に４つの広告情報が表示されている。一つの広告情報８３は、主としてランキングの表題が記載された画像データであり、他の３つの広告情報８４，８５，８６は、そのランキングの上位３位が記載された画像データである。この広告情報の表示形式をランキング型と称する。
【０１１０】
ランキングは、広告自動配信サーバ４０が以前にインプレッションログデータベース６０やクリックログデータベース６３やアクションログデータベース６４に記録したデータに基づいて算出する。例えば、飲料について、過去に携帯電話３０に配信した広告のうちクリックされた回数が多いものについて、その飲料の製品名を広告情報８４〜８６として表示する。そして、これらの画像データ８４〜８６をクリックすると、広告自動配信サーバ４０は、その飲料を販売しているクライアントサイトへ携帯電話３０を誘導するようにする。なお、表題部分の広告情報８１をクリックした場合には、ランキングの上位１０が一覧表示されるコンテンツを携帯電話３０に送信してもよい。
【０１１１】
図６（ｄ）も同様に、メディアＩＤ「１０２４」のメディアサイトのコンテンツ中の、広告スペース「１」で特定される掲載位置に６つの広告情報が表示されている。各広告情報８７〜９２は、コンテンツのカテゴリ名が記載された画像データである。これらの広告情報８７〜９２をクリックすると、広告自動配信サーバ４０は、そのカテゴリ名に関連したコンテンツを有するクライアントサイトへ携帯電話３０を誘導するようにする。この広告情報の表示形式をカテゴリ型と称する。
【０１１２】
以上に説明した広告情報の表示形式を実現するためには、掲載位置情報により特定される広告情報の表示位置に、広告要求データと誘導要求データとの組み合わせを複数埋め込む。図７（ａ）は、広告要求データと誘導要求データの一例である。図示するように、広告要求データである「ＩＭＧ」タグと誘導要求データである「Ａ」タグの組み合わせを計６つメディアサイトのコンテンツ中に挿入してある。これらの６つの組み合わせを区別するために、各組のＵＲＬのパラメータ部には、「ｘ＝１＆ｙ＝１」のように各組間で重複しないような識別部を追加してある。
【０１１３】
例えば、パラメータ部に「ｘ＝１＆ｙ＝１」が追加された広告要求データに基づいて広告情報（画像データ）を広告自動配信サーバ２０に要求すると、図７（ｂ）に示すように、その広告情報は、広告スペース中の左上の領域Ａ１に表示される。以下同様に、「ｘ＝２＆ｙ＝１」を含んだ広告要求データから得た広告情報は領域Ａ２に、「ｘ＝３＆ｙ＝１」を含んだ広告要求データから得た広告情報は領域Ａ３に、「ｘ＝１＆ｙ＝２」を含んだ広告要求データから得た広告情報は領域Ａ４に、「ｘ＝２＆ｙ＝２」を含んだ広告要求データから得た広告情報は領域Ａ５に、「ｘ＝３＆ｙ＝２」を含んだ広告要求データから得た広告情報は領域Ａ６に、それぞれ表示される。
【０１１４】
一方、広告自動配信サーバ４０は、各表示形式に対応した広告情報を情報リストデータベース６２に記憶させておく。例えば、図８に示すように、画像バナー型の場合、情報リストデータベース６２には、メディアＩＤ、広告スペースＩＤに加えて「Ｘ」「Ｙ」の項目も加えておく。そして、メディアサイトのコンテンツを受信した携帯電話３０が広告要求データ、すなわち「ｘ＝１＆ｙ＝１」を含んだ「ＩＭＧ」タグを解釈して広告情報を要求した場合（Ｉ）、広告自動配信サーバ４０は、情報リストデータベース６２を検索する。このとき、携帯電話３０からの要求にはメディアＩＤが「１０２４」、広告スペースＩＤが「１」、「Ｘ」が「１」、「Ｙ」が「１」であるので、図中１行目の情報が見つかる。よって、１行目の広告情報（「アフィリエイトなら○○○○」が記載された画像データ）を携帯電話３０に送信する（ＩＩ）。
【０１１５】
なお、画像バナー型は、一つのバナーのみ表示されればよいので、携帯電話３０が、２番目以降（「ｘ＝２＆ｙ＝１」以降）の広告情報を要求した場合、広告自動配信サーバ４０は広告情報としてダミー画像を携帯電話３０に送信する。ダミー画像は、例えばピクセルが１×１で、無色透明の画像であるため、携帯電話３０では、６つの広告情報を表示しているが見かけ上では１つの画像バナーだけが表示されているように見える。
【０１１６】
他に、カテゴリ型のように６つの広告情報をすべて表示する場合は、図９に示すように、情報リストデータベース６２に６つ分の広告情報を記憶させておく。この場合は、図８に示した画像バナー型と異なりダミー画像は用いないので、携帯電話３０には、６つの広告情報（カテゴリ名が記載された画像データ）が表示されて、カテゴリ型の広告となる。
【０１１７】
そして、携帯電話３０が「Ａ」タグを解釈して誘導を要求する際には、掲載位置情報、すなわちメディアＩＤ、広告スペースＩＤ、Ｘ、Ｙが広告自動配信サーバ４０に送信される。広告自動配信サーバ４０は、これらの値を情報リストデータベース６２から検索する。例えば図９の「ｘ＝１＆ｙ＝１」に対応する誘導要求データに従って携帯電話３０が誘導を要求した場合は、広告自動配信サーバ４０は、携帯電話３０を１行目の誘導ＵＲＬに誘導する。
【０１１８】
その他、特に図示しないが、文章型は、誘導先に関する説明、例えば誘導先のクライアントの紹介文などが記載された画像データを「ｘ＝１＆ｙ＝２」に対応させて情報リストデータベース６２の広告情報として記憶させる。「ｘ＝３＆ｙ＝１」以降についてはダミー画像を記憶させておく。以後、メディアサイトのコンテンツを受信した携帯電話３０が広告要求データ（「ＩＭＧ」タグ）を解釈して広告情報を要求した場合、広告自動配信サーバ４０は、その要求に応じて情報リストデータベース６２から画像データを検索し、携帯電話３０に送信する。そして、携帯電話３０が誘導要求データ（「Ａ」タグ）を解釈して誘導を要求した場合、広告自動配信サーバ４０は、その要求に応じて情報リストデータベース６２から誘導ＵＲＬを検索して、携帯電話３０をその誘導ＵＲＬに誘導する。
【０１１９】
ランキング型も同様に、ランキングの表題が記載された画像データを「ｘ＝１＆ｙ＝１」に対応させ、ランキングの上位３つを「ｘ＝１＆ｙ＝２」、「ｘ＝２＆ｙ＝２」、「ｘ＝３＆ｙ＝２」にそれぞれ対応させて情報リストデータベース６２の広告情報として記憶させる。その他にはダミー画像を記憶させておく。以後、文章型と同様に、広告自動配信サーバ４０は、携帯電話３０の要求に応じて広告情報を送信し、誘導ＵＲＬに誘導する。
【０１２０】
以上に説明したように、一つの掲載位置情報により特定されるメディアサイトのコンテンツ中に、複数の広告情報を配信できるようにしたことで、画像バナー型、ランキング型、文章型、カテゴリ型など、多様な形式で広告情報を携帯電話３０に配信することができる。特に、どのような表現形式を採用しようとも、メディアサイトのコンテンツに「ＩＭＧ」、「Ａ」の静的なタグを挿入するだけである。このように、メディアサイトではわずかなタグをコンテンツ中に挿入するだけで種々の形式の広告情報を表示させることができる。
【０１２１】
なお、複数の広告情報を配信する態様としては、上述した画像バナー型、ランキング型、文章型、カテゴリ型に限定されない。例えば、内容について全く関連のない独立した広告情報を複数掲載してもよいし、ランキングやカテゴリとは異なる観点において共通性のある広告情報を複数掲載してもよい。要するに、複数の広告情報の内容、表示形式に関わらず、一つの掲載位置情報により特定されるメディアサイトのコンテンツ中に、複数の広告情報を配信するものであれば本発明の思想及び技術的範囲に含まれる。
【図面の簡単な説明】
【０１２２】
【図１】実施形態１に係る広告提供報道資料配信システムを用いた広告配信の概念図である。
【図２】実施形態１に係る広告自動配信システムの機能ブロック図である。
【図３】実施形態１に係る広告自動配信システムの処理のフローである。
【図４】実施形態１に係る広告自動配信システムの処理のフローである。
【図５】実施形態１に係る広告自動配信システムの処理のフローである。
【図６】実施形態１に係る携帯電話に表示される広告情報のバリエーションを示す図である。
【図７】広告要求データと誘導要求データの一例である。
【図８】広告情報の一表示形式である画像バナー型を説明する概念図である。
【図９】広告情報の一表示形式であるカテゴリ型を説明する概念図である。
【符号の説明】
【０１２３】
１０          メディアサイトサーバ
２０          クライアントサイトサーバ
３０          携帯電話
４０          広告自動配信システム
４１          広告要求データ出力手段
４２          誘導要求データ出力手段
４３          行動送信データ出力手段
４４          広告配信手段
４５          誘導手段
４６          行動履歴作成手段
５０          広告自動配信サーバ
６０          インプレッションログデータベース
６１          自動配信管理データベース
６２          情報リストデータベース
６３          クリックログデータベース
６４          アクションログデータベース
７０          インターネット
【図１】
2010097368.tif 000009
【図２】
2010097368.tif 000010
【図３】
2010097368.tif 000011
【図４】
2010097368.tif 000012
【図５】
2010097368.tif 000013
【図６】
2010097368.tif 000014
【図７】
2010097368.tif 000015
【図８】
2010097368.tif 000016
【図９】
2010097368.tif 000017